(57)【特許請求の範囲】
【請求項１】
固定壁面Ａに嵌合凹部２を形成するとともに、嵌合凹部２内の周縁部に固定した枠部材３により鏡４を固定してなり、枠部材３は、鏡周囲の嵌合凹部周縁部に嵌合固定した周壁部５と、該周壁部５内周の表面側より薄肉破断部６を介して延設することにより周方向に沿って切り取り可能に設けるとともに、鏡表面周縁部に裏面を圧接し、且つ、端部を内方へ突設して指掛け部７とした帯状係止片８とから構成してなることを特徴とする化粧用コンパクト容器。
【請求項２】
上記固定壁面Ａと鏡４裏面との間にクッション材18を介在させてなる請求項１記載の化粧用コンパクト容器。
【請求項３】
上記嵌合凹部２が、蓋体12上面に形成した天板嵌合用の凹部19中央に、上縁部を段部を介して広げた窓孔ａを穿設し、凹部19内に天板20を嵌合することにより形成した嵌合凹部２であり、上記枠部材３が、上記段部と天板20とで形成する環状凹部21内に嵌合するフランジ22を、上記周壁部５外周の天板20側より突設してなる枠部材３である請求項１記載の化粧用コンパクト容器。
【発明の詳細な説明】
【０００１】
【発明の属する技術分野】
本発明は化粧用コンパクト容器に関する。
【０００２】
【従来の技術】
化粧用コンパクト容器として、例えば、上面に化粧品を収納する化粧品収納凹部を備えた皿状の容器本体と、該本体後部に後部を回動可能に連結して本体上面を開閉可能に設けた蓋体とを、各前部で係脱可能に構成してなるもの、或いは上面をパフ収納部に形成した中皿を、容器本体と蓋体との間に開閉可能に設けたもの、或いは、容器本体にパフ収納部を形成し、中皿上面に化粧品収納凹部を設けたもの等、種々の形態のものが知られている。
【０００３】
これらの化粧用コンパクト容器は鏡を設けているのが一般的で、その固定面として、蓋体裏面がごく普通に挙げられる。また、中皿を有するものにあっては、蓋体裏面の他、中皿の下面を鏡の固定面としている場合もある。また、これら容器に於ける鏡の固定は、一般に両面テープを使用して行う場合が多く、また、鏡周囲の固定面に枠体を融着固定する等の方法が採用される場合もある。
【０００４】
【発明が解決しようとする課題】
近年の廃棄物処理事情によれば、合成樹脂と金属或いは硝子等との分別処理が要望されており、従来のコンパクト容器では、鏡を分離することに考慮が払われておらず、裏面をピッタリ固定した鏡をひきはがすのは極めて困難で、仮に外すことが可能であっても時間，手間が掛かっている。特に、従来容器に於ける鏡はその固定面に鏡と略同形状の凹部を形成して、その中に嵌合固定させている場合が多いため、余計取り外しが困難となる。また、周囲を融着したものにあっては、枠体は容器体同様の肉厚のものであり、その当接面をベタに融着しているので更に分離が困難となる。
【０００５】
本発明は上記した点に鑑みなされたもので、使用済みの容器から鏡を容易に分離することができるとともに、使用時には鏡が外れる等の不都合を生じる虞がなく、確実に固定させておくことができ、また、その構造も簡単な優れた化粧用コンパクト容器を提案するものである。
【０００６】
【課題を解決するための手段】
本請求項１発明の容器は、上記課題を解決するため、固定壁面Ａに嵌合凹部２を形成するとともに、嵌合凹部２内の周縁部に固定した枠部材３により鏡４を固定してなり、枠部材３は、鏡周囲の嵌合凹部周縁部に嵌合固定した周壁部５と、該周壁部５内周の表面側より薄肉破断部６を介して延設することにより周方向に沿って切り取り可能に設けるとともに、鏡表面周縁部に裏面を圧接し、且つ、端部を内方へ突設して指掛け部７とした帯状係止片８とから構成してなることを特徴とする化粧用コンパクト容器として構成した。
【０００７】
また、請求項２発明の容器は、上記固定壁面Ａと鏡４裏面との間にクッション材18を介在させてなる請求項１記載の化粧用コンパクト容器として構成した。
【０００８】
また、請求項３発明の容器は、上記嵌合凹部２が、蓋体12上面に形成した天板嵌合用の凹部19中央に、上縁部を段部を介して広げた窓孔ａを穿設し、凹部19内に天板20を嵌合することにより形成した嵌合凹部２であり、上記枠部材３が、上記段部と天板20とで形成する環状凹部21内に嵌合するフランジ22を、上記周壁部５外周の天板20側より突設してなる枠部材３である請求項１記載の化粧用コンパクト容器として構成した。
【０００９】
【発明の実施の形態】
以下、本発明の実施例の形態を図面を参照して説明する。
【００１０】
本発明の化粧用コンパクト容器１は、図示例の如く、固定壁面Ａに嵌合凹部２を形成するとともに、嵌合凹部２内の周縁部に固定した枠部材３により固定している。
【００１１】
固定壁面Ａは、鏡４を固定させるための壁面であり、化粧用コンパクト容器の形態によりその具体的な位置は種々採用できる。一般的には容器本体の後部に後部を回動可能に連結して容器本体上面を開閉可能に設けた蓋体の裏面を固定壁面とするが、容器本体上面を開閉可能に中皿を設けるとともに、中皿上面を開閉可能に蓋体を設けた形態の容器の場合には、中皿裏面を固定壁面としてもよく、従来の化粧用コンパクト容器の鏡を固定する壁面であればどの様な部分であっても採用できる。
【００１２】
嵌合凹部２は、鏡４を収納固定するための凹部で、鏡の形状や枠部材の形状に合わせた平面形状に形成する。
【００１３】
鏡４は、従来のこの種コンパクト容器に使用されているものが使用でき、その形状も、図示例の如き平面矩形状のものに限らず、例えば、平面円形状、平面楕円形状、平面三角形状等種々の形状を採用できる。
【００１４】
枠部材３は、鏡４周囲の嵌合凹部２内の周縁部に嵌合固定した周壁部５と、該周壁部内周の表面側より薄肉破断部６を介して延設することにより周方向に沿って切り取り可能に設けるとともに、鏡表面周縁部に裏面を圧接し、且つ、端部を内方へ突設して指掛け部７とした帯状係止片８とから構成している。枠部材３の材質として、例えば、合成樹脂，エラストマー等を使用できるが、比較的柔らかい材質を選択すると、帯状係止片８の破断除去が行い易く好ましい。枠部材３を固定する方法としては種々の方法を採用できるが、例えば単に強制嵌合する方法や、周壁部５下面や外周面を接着剤により嵌合凹部２内面に接着固定する方法が採用できる。
【００１５】
図１に示す実施例に於いて容器１は、上面に化粧品収納凹部９及びパフ収納凹部10を凹設した皿状の容器本体11と、該本体11の後部に後部を回動可能に連結して容器本体11上面を開閉可能に設けた蓋体12とを備え、蓋体12の裏面を矩形状に凹ませた嵌合凹部２を形成し、該凹部内に鏡４を固定する例を示している。また、図示例では、容器本体11の前面中央より後方へ押し込んで形成した凹部13内奥壁に突設した係合突起14に、蓋体12裏面前部より垂設したフック15を係合させて、閉蓋状態を維持させる如く構成するとともに、凹部13内に揺動可能に設けた押し釦16の押圧により係合突起14とフック15との係合を解除可能に構成した公知の係合手段を設けている。
【００１６】
また、枠部材３は、縦断面矩形状で且つ平面も横長矩形状をなす周壁部５を有し、該周壁部５の裏面を接着剤により嵌合凹部２奥面周縁部に接着して固定している。また、指掛け部７は、図４に示す如く、一つのコーナー部に於いて、中心に向かって各端部を延設しており、帯状係止片８を切断除去する際に、例えば図５に示す如く、一端を掴んで容易に破断部６を破断出来る如く構成している。尚、図示例では各指掛け部７間に薄肉の破断可能な連結片17を一体に設けている。
【００１７】
また、本実施例では、固定壁面Ａと鏡４裏面との間にクッション材18を介在させている。このクッション材18を介在させることにより、枠部材３や鏡４に寸法誤差が生じても、それを補正してガタ付き等が無く鏡を固定することが出来る如く構成している。クッション材18はシート状のものが好ましく、その材質は弾力性の有るエラストマーや合成樹脂等を使用できる。尚、このクッション材は必ずしも設けなくても良く、その場合には、例えば、鏡４の厚みを若干厚く構成して帯状係止片８の圧接を確実に図る等の措置をとると良い。
【００１８】
図６に示す実施例では、蓋体12上面に形成した天板嵌合用の凹部19中央に上縁部を段部を介して広げた窓孔ａを穿設し、凹部19内に天板20を嵌合することにより形成した嵌合凹部２を採用している。また、段部と天板20とで形成する環状凹部21内に嵌合するフランジ22を、周壁部５外周の天板側より突設した枠部材３を採用している。
【００１９】
従って、枠部材３が嵌合凹部２から外れることを確実に防止している。
【００２０】
【発明の効果】
以上説明した如く、本発明容器は、固定壁面に嵌合凹部を形成するとともに、嵌合凹部内の周縁部に固定した枠部材により鏡を固定したもので、この枠部材は、鏡周囲の嵌合凹部周縁部に嵌合固定した周壁部と、周壁部内周の表面側より薄肉破断部を介して延設するとことにより周方向に沿って切り取り可能に設け、また、鏡表面周縁部に裏面を圧接した帯状係止片とから構成しているので、使用時には充分な固定強度を得ることが可能であり、確実に鏡を固定させておくことができ、また、容器使用後の廃棄の際には、帯状係止片を破断部に沿って破断除去するという簡単な操作で鏡を取り外すことができるため、容易に鏡と他の合成樹脂材との分離廃棄を行えるという特有の効果を発揮できるものである。しかも帯状係止片は、端部を内方へ突設した指掛け部に構成しているため、係止片の破断除去をより容易に行えるという利点を兼ね備えている。
【００２１】
請求項２発明の容器では、クッション材の存在により鏡や嵌合凹部に若干の寸法誤差が生じても、クッション材によりその誤差を補正して鏡がガタ付く等の不都合を生じることなく、安定的に固定することができるものである。
【００２２】
また、請求項３発明の容器では、枠部材が嵌合凹部内から外れるという虞はなく、万一枠部材を固定する接着材部分が剥離しても、安定して鏡を固定しておくことができるものである。
【図面の簡単な説明】
【図１】本発明の一実施例を示す斜視図である。
【図２】同実施例の要部拡大断面図である。
【図３】同実施例の鏡及び枠部材の斜視図である。
【図４】同実施例の鏡及び枠部材の一部切欠き要部拡大斜視図である。
【図５】同実施例の帯状係止片を取り外す状態を示す要部斜視図である。
【図６】本発明の他の実施例を示す要部拡大断面図である。
【符号の説明】
２…嵌合凹部，３…枠部材，４…鏡，５…周壁部，６…薄肉破断部，
７…指掛け部，８…帯状係止片，12…蓋体，18…クッション材，
19…天板嵌合用の凹部，20…天板，21…環状凹部，22…フランジ
【図１】
0003784562.tif 000002
【図２】
0003784562.tif 000003
【図３】
0003784562.tif 000004
【図４】
0003784562.tif 000005
【図５】
0003784562.tif 000006
【図６】
0003784562.tif 000007